(57)【要約】【課題】  コンテンツの形態を意識することなく所望のコンテンツを楽しむことが可能な端末装置を提供する。【解決手段】  指示入力を受付けた場合、複数種類のコンテンツの各々の情報から構成されるリストに基づいて、コンテンツ特定信号を、コンテンツ特定信号を受信すると、コンテンツ特定信号に対応するコンテンツを再生するネットワーク機器へ送信する。【選択図】        図７
2007088700.tif 000002
【特許請求の範囲】
【請求項１】
ネットワークまたは無線信号を使用してコンテンツを受信可能であって、前記コンテンツを特定するためのコンテンツ特定信号を受信すると、前記コンテンツ特定信号に対応するコンテンツを再生するネットワーク機器と、データ通信可能な端末装置であって、
複数種類のコンテンツの各々の情報から構成されるリストを記憶する記憶手段と、
指示入力を受付ける受付手段と、
前記受付手段が前記指示入力を受付けた場合、前記リストに基づいて、前記コンテンツ特定信号を、前記ネットワーク機器へ送信する送信手段とを備える、端末装置。
【請求項２】
前記コンテンツ特定信号により特定されるコンテンツは、テレビ放送によるコンテンツである、請求項１に記載の端末装置。
【請求項３】
前記コンテンツ特定信号により特定されるコンテンツは、ラジオ放送によるコンテンツである、請求項１に記載の端末装置。
【請求項４】
前記コンテンツ特定信号により特定されるコンテンツは、前記ネットワークから配信されるストリーミングデータによるコンテンツである、請求項１に記載の端末装置。
【請求項５】
前記ストリーミングデータは、動画像のデータである、請求項４に記載の端末装置。
【請求項６】
前記動画像のデータは、テレビ放送によるコンテンツのデータである、請求項５に記載の端末装置。
【請求項７】
前記ストリーミングデータは、音声データである、請求項４に記載の端末装置。
【請求項８】
前記音声データは、ラジオ放送によるコンテンツのデータである、請求項７に記載の端末装置。
【請求項９】
画像を表示する表示手段と、
テレビ放送を受信する受信手段と、
前記受付手段が前記指示入力を受付けた場合、前記表示手段にテレビの画像を表示する制御手段とをさらに備える、請求項１に記載の端末装置。
【請求項１０】
ラジオ放送を受信する受信手段と、
前記受付手段が前記指示入力を受付けた場合、前記ラジオ放送の音声を出力する音声出力手段とをさらに備える、請求項１に記載の端末装置。
【請求項１１】
前記ネットワークから配信されるストリーミングデータを受信する受信手段と、
前記ストリーミングデータを再生する再生手段とをさらに備える、請求項１に記載の端末装置。
【請求項１２】
前記ストリーミングデータは、動画像のデータである、請求項１１に記載の端末装置。
【請求項１３】
前記動画像のデータは、テレビ放送によるコンテンツのデータである、請求項１２に記載の端末装置。
【請求項１４】
前記ストリーミングデータは、音声データである、請求項１１に記載の端末装置。
【請求項１５】
前記音声データは、ラジオ放送によるコンテンツのデータである、請求項１４に記載の端末装置。
【発明の詳細な説明】
【技術分野】
【０００１】
本発明は、端末装置に関し、特に、リモコン機能を備える端末装置に関する。
【背景技術】
【０００２】
近年、ラジオまたはテレビの機能を備えた携帯電話機等の端末装置が普及しつつある。また、複数種類の電気機器を赤外線により制御するリモコン機能を備えた携帯電話機も普及しつつある。
【０００３】
特開２０００−３２４５７３号公報（特許文献１）には、煩雑な登録操作が不要で、かつ、多数の電気機器を１つのリモコン装置で統一的に操作できるリモコン装置の技術が開示されている。
【特許文献１】特開２０００−３２４５７３号公報
【発明の開示】
【発明が解決しようとする課題】
【０００４】
最近では、インターネットを使用したストリーミング技術を用いて、ラジオ放送およびテレビ放送がインターネットでも提供されている。しかしながら、インターネットを使用した、ラジオ放送およびテレビ放送をユーザが楽しむためには、電気機器とは異なる多くの操作が必要であるという問題がある。以下においては、インターネットを使用したラジオ放送を、インターネットラジオ放送ともいう。また、インターネットを使用したテレビ放送を、インターネットテレビ放送ともいう。
【０００５】
また、たとえば、テレビジョン受信機で視聴可能なテレビ放送に関連する番組が、インターネットテレビ放送でも同時刻に提供されている場合、ユーザがテレビ放送と、インターネットテレビ放送とを即座に切替えて視聴するということは非常に困難であるという問題があった。
【０００６】
本発明は、上述の問題点を解決するためになされたものであって、その目的は、コンテンツの形態を意識することなく所望のコンテンツを楽しむことが可能な端末装置を提供することである。
【課題を解決するための手段】
【０００７】
上述の課題を解決するために、この発明のある局面に従うと、ネットワークまたは無線信号を使用してコンテンツを受信可能であって、コンテンツを特定するためのコンテンツ特定信号を受信すると、コンテンツ特定信号に対応するコンテンツを再生するネットワーク機器と、データ通信可能な端末装置は、複数種類のコンテンツの各々の情報から構成されるリストを記憶する記憶手段と、指示入力を受付ける受付手段と、受付手段が指示入力を受付けた場合、リストに基づいて、コンテンツ特定信号を、ネットワーク機器へ送信する送信手段とを備える。
【０００８】
好ましくは、コンテンツ特定信号により特定されるコンテンツは、テレビ放送によるコンテンツである。
【０００９】
好ましくは、コンテンツ特定信号により特定されるコンテンツは、ラジオ放送によるコンテンツである。
【００１０】
好ましくは、コンテンツ特定信号により特定されるコンテンツは、ネットワークから配信されるストリーミングデータによるコンテンツである。
【００１１】
好ましくは、ストリーミングデータは、動画像のデータである。
好ましくは、動画像のデータは、テレビ放送によるコンテンツのデータである。
【００１２】
好ましくは、ストリーミングデータは、音声データである。
好ましくは、音声データは、ラジオ放送によるコンテンツのデータである。
【００１３】
好ましくは、画像を表示する表示手段と、テレビ放送を受信する受信手段と、受付手段が指示入力を受付けた場合、表示手段にテレビの画像を表示する制御手段とをさらに備える。
【００１４】
好ましくは、ラジオ放送を受信する受信手段と、受付手段が指示入力を受付けた場合、ラジオ放送の音声を出力する音声出力手段とをさらに備える。
【００１５】
好ましくは、ネットワークから配信されるストリーミングデータを受信する受信手段と、ストリーミングデータを再生する再生手段とをさらに備える。
【００１６】
好ましくは、ストリーミングデータは、動画像のデータである。
好ましくは、動画像のデータは、テレビ放送によるコンテンツのデータである。
【００１７】
好ましくは、ストリーミングデータは、音声データである。
好ましくは、音声データは、ラジオ放送によるコンテンツのデータである。
【発明の効果】
【００１８】
本発明に係る端末装置は、指示入力を受付けた場合、複数種類のコンテンツの各々の情報から構成されるリストに基づいて、コンテンツ特定信号を、コンテンツ特定信号を受信すると、コンテンツ特定信号に対応するコンテンツを再生するネットワーク機器へ送信する。
【００１９】
したがって、コンテンツの形態を意識することなく所望のコンテンツを楽しむことができるという効果を奏する。
【発明を実施するための最良の形態】
【００２０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２１】
本実施の形態の端末装置は、ラジオおよびテレビの機能を備えた端末装置であるとする。なお、端末装置は、ラジオおよびテレビの両方の機能を備えている必要はなく、どちらか一方の機能のみを備えていてもよい。また、端末装置は、ラジオおよびテレビ機能を備えていなくてもよい。
【００２２】
また、端末装置は、一例として、携帯電話機であるとする。なお、本実施の形態では、端末装置は、携帯電話機に限定されることなく、たとえば、リモコン装置、ＰＤＡ（Personal Digital Assistance）等のリモコン機能を有する装置であれば、どのような装置であってもよい。
【００２３】
図１は、開いた状態の端末装置１０００を正面から示した図である。図１を参照して、端末装置１０００は、第１の筐体１００と、第２の筐体２００とから構成される。第１の筐体１００と、第２の筐体２００とは、連結部５０により折り畳み可能なように連結される。
【００２４】
図２は、閉じた状態の端末装置１０００の斜視図である。図２を参照して、図１の開いた状態の端末装置１０００を折りたたむと、図２のような状態になる。
【００２５】
再び、図１を参照して、第１の筐体１００は、メイン表示部１１０Ａと、スピーカ１５０とを備える。メイン表示部１１０Ａは、各種情報を、文字や画像等で表示する機能を有する。メイン表示部１１０Ａは、液晶ディスプレイ（ＬＣＤ（Liquid Crystal Display））、ＦＥＤ（Field Emission Display）、有機ＥＬディスプレイ（Organic Electro luminescence Display）、ドットマトリクス等その他の画像表示方式の表示機器のいずれであってもよい。
【００２６】
スピーカ１５０は、通話の時に使用されるスピーカである。
第２の筐体２００は、メイン操作ボタン群である機能ボタン群２３０と、メイン操作ボタン群である入力ボタン群２４０と、マイク２６０とを備える。
【００２７】
機能ボタン群２３０は、端末装置１０００の各種設定、機能切替等を行なうための複数のボタンを含む。機能ボタン群２３０は、機能ボタン２３１，２３２と、受話ボタン２３３と、ボタン２３４と、マルチガイドボタン２３５とを含む。
【００２８】
機能ボタン２３１は、ユーザによる短時間（たとえば、０．５秒未満）の押下操作（以下、短押操作ともいう）によりネットワーク関連等のプログラムを起動させるためのボタンである。また、機能ボタン２３１は、ユーザによる長時間（たとえば、１秒以上）の押下操作（以下、長押操作ともいう）によりデジタルカメラのプログラムを起動させるためのボタンである。
【００２９】
機能ボタン２３２は、短押操作により電子メールのプログラムを起動させるためのボタンである。
【００３０】
なお、詳細は後述するが、端末装置１０００は、音楽モードと、ラジオモードと、テレビモードと、リモコンモードと、通常モードとを有する。音楽モードは、端末装置１０００において音楽を聴取可能なモードである。ラジオモードは、端末装置１０００においてラジオを聴取可能なモードである。テレビモードは、端末装置１０００においてテレビを視聴可能なモードである。リモコンモードは、電気機器を無線（たとえば、赤外線）により制御するモードである。なお、リモコンモードにおいても、端末装置１０００において、ラジオの聴取、テレビの視聴は可能である。
【００３１】
通常モードは、端末装置１０００が音楽モード、ラジオモード、テレビモードおよびリモコンモードのいずれでもないときのモードである。
【００３２】
機能ボタン２３２は、端末装置１０００が通常モードである場合、長押操作毎に、端末装置１０００を、音楽モード、ラジオモード、テレビモード、リモコンモード、通常モードの順に切替えるためのボタンである。なお、モードの切替わる順序は、上記の順に限定されることなく、任意の順序でもよい。
【００３３】
受話ボタン２３３は、端末装置１０００に電話がかかってきた場合、短押操作により通話開始を行なうためのボタンである。
【００３４】
ボタン２３４は、端末装置１０００が通話中である場合、短押操作により通話を保留状態にするためのボタンである。また、ボタン２３４は、長押操作により、端末装置１０００の電源のオンとオフとの切替えを行なうためのボタンである。
【００３５】
マルチガイドボタン２３５は、４方向ボタンと、決定ボタンとを含む。４方向ボタンは、短押操作により、メイン表示部１１０Ａに画像が表示されている場合、画像内の移動させる対象となる物（たとえば、カーソル等）を上下左右に移動させるためのボタンである。決定ボタンは、短押操作により、たとえば、４方向ボタンの短押操作により選択された項目等を決定するためのボタンである。
【００３６】
入力ボタン群２４０は、短押操作により、数字、文字および記号等を入力するための複数のボタンから構成される。
【００３７】
マイク２６０は、通話の時に使用されるマイクである。
再び、図２を参照して、第２の筐体２００は、サブ表示部１１０Ｂと、サブ操作ボタン群１３０と、サイドボタン１３２と、ＬＥＤ１４０と、スピーカ１５２と、記録媒体挿入部１８０とを備える。
【００３８】
サブ表示部１１０Ｂは、各種情報を、文字や画像等で表示する機能を有する。サブ表示部１１０Ｂは、メイン表示部１１０Ａと同様の表示機器であるので詳細な説明は繰り返さない。サブ表示部１１０Ｂの解像度は、メイン表示部１１０Ａの解像度よりも低い。なお、サブ表示部１１０Ｂの解像度は、メイン表示部１１０Ａの解像度以上であってもよい。
【００３９】
サブ操作ボタン群１３０は、ボタン１３０Ａ，１３０Ｂ，１３０Ｃ，１３０Ｄを含む。ボタン１３０Ａは、端末装置１０００が音楽モードであり、かつ、音楽データが再生中の場合、短押操作により、再生中の音楽データの先頭から再生を開始させるためのボタンである。また、ボタン１３０Ａは、短押操作により、サブ表示部１１０Ｂに画像が表示されている場合、画像内の移動させる対象となる物（たとえば、カーソル等）を左に移動させるためのボタンである。
【００４０】
ボタン１３０Ｂは、端末装置１０００が、音楽モード、ラジオモード、テレビモード、リモコンモード、通常モードおよび電源オフ状態のいずれであっても使用可能なボタンである。詳細は後述するが、ボタン１３０Ｂは、たとえば、端末装置１０００が音楽モードであり、かつ、音楽データが再生中の場合、短押操作により、音楽データの再生を一時停止させるためのボタンである。また、ボタン１３０Ｂは、たとえば、端末装置１０００が音楽モードであり、かつ、音楽データが再生されていない場合、短押操作により、音楽データの再生を開始させるためのボタンである。
【００４１】
ボタン１３０Ｃは、端末装置１０００が音楽モードであり、かつ、音楽データが再生中の場合、短押操作により、再生中の音楽データの次の音楽データの先頭から再生を開始させるためのボタンである。また、ボタン１３０Ｃは、短押操作により、サブ表示部１１０Ｂに画像が表示されている場合、画像内の移動させる対象となる物（たとえば、カーソル等）を右に移動させるためのボタンである。
【００４２】
ボタン１３０Ｄは、短押操作により、サブ表示部１１０Ｂに、たとえば、画像Ａが表示されている場合、サブ表示部１１０Ｂに、画像Ａが表示される前の画像（たとえば、画像Ｂ）を表示させるためのボタンである。
【００４３】
ＬＥＤ１４０は、端末装置１０００で行なわれる処理に応じて、光による報知を行なう。たとえば、ＬＥＤ１４０は、電話の着信があった場合、光を点滅させる。
【００４４】
スピーカ１５２は、端末装置１０００のモード対応した音声を出力する機能を有する。たとえば、端末装置１０００が音楽モードの場合、スピーカ１５２は、再生されている音楽データの音声を出力する。
【００４５】
サイドボタン１３２は、アップボタン１３２Ａと、ダウンボタン１３２Ｂとを含む。アップボタン１３２Ａは、短押操作により、端末装置１０００のモードに関わらず、端末装置１０００から出力される音声の音量を大きくするためのボタンである。また、アップボタン１３２Ａは、短押操作により、サブ表示部１１０Ｂに画像が表示されている場合、画像内の移動させる対象となる物（たとえば、カーソル等）を上に移動させるためのボタンである。
【００４６】
ダウンボタン１３２Ｂは、短押操作により、端末装置１０００のモードに関わらず、端末装置１０００から出力される音声の音量を小さくするためのボタンである。また、ダウンボタン１３２Ｂは、短押操作により、短押操作により、サブ表示部１１０Ｂに画像が表示されている場合、画像内の移動させる対象となる物（たとえば、カーソル等）を下に移動させるためのボタンである。
【００４７】
記録媒体挿入部１８０は、端末装置１０００に後述する記録媒体を挿入する部分である。
【００４８】
なお、端末装置１０００は、メイン表示部１１０Ａおよびサブ表示部１１０Ｂのいずれか一方のみを備える構成であってもよい。
【００４９】
図３は、閉じた状態の端末装置１０００の背面図である。図３を参照して、第２の筐体２００は、さらに、撮像部２７０と、発光部２７２とを備える。
【００５０】
撮像部２７０は、被写体を撮像する撮像処理を行なう。撮像部２７０は、撮像レンズと、受光部と、カラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００５１】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００５２】
撮像処理では以下の処理が行なわれる。まず、撮像部２７０が、被写体に反射されて撮像レンズに入射した光を、カラーフィルタ部を介して、受光部に入力させる。受光部は入力された光を電気信号に変換する。そして、撮像部２７０は、変換した電気信号をデジタルデータ（以下、撮像画像データともいう）に変換する。
【００５３】
発光部２７２は、撮像部２７０が撮像するときに、必要に応じて、光を発する。
図４は、端末装置１０００の内部構成を示したブロック図である。図４を参照して、端末装置１０００は、さらに、通信部３１０と、チューナ３２０と、記憶部３３０と、一時記憶部３３２と、記録媒体アクセス部３３４と、記録媒体７０と、制御部３４０と、音声処理部３５０と、振動部３７０とを備える。
【００５４】
記憶部３３０には、制御部３４０に後述する処理を行なわせるためのプログラム７２、その他各種プログラムおよびデータ等が記憶されている。プログラム７２は、たとえば、制御プログラム、画像処理プログラム、音楽再生プログラム、ラジオプログラム、テレビプログラム、電子メールプログラム、ゲームプログラム、ＷＥＢブラウザプログラム、動画再生プログラム、リモコンプログラム等である。
【００５５】
音楽再生プログラムは、端末装置１０００が音楽モードの場合に実行されるプログラムである。ラジオプログラムは、端末装置１０００がラジオモードまたはリモコンモードの場合に実行されるプログラムである。テレビプログラムは、端末装置１０００がテレビモードまたはリモコンモードの場合に実行されるプログラムである。電子メールプログラム、ゲームプログラム、ＷＥＢブラウザプログラムおよび動画再生プログラムの各々は、端末装置１０００が通常モードの場合に実行されるプログラムである。なお、ＷＥＢブラウザプログラムは、端末装置１０００がリモコンモードの場合にも実行されるプログラムである。
【００５６】
以下においては、音楽再生プログラム、ラジオプログラム、テレビプログラム、電子メールプログラム、ゲームプログラム、ＷＥＢブラウザプログラム、動画再生プログラムおよびリモコンプログラムを、アプリケーションプログラムともいう。なお、アプリケーションプログラムは、上記プログラムのみに限定されることはない。
【００５７】
記憶部３３０は、制御部３４０によりデータアクセスされる。記憶部３３０は、電源を供給されなくてもデータを不揮発的に保持可能な媒体（たとえば、フラッシュメモリ）である。
【００５８】
制御部３４０は、記憶部３３０に記憶されたプログラム７２に従って、端末装置１０００内の各部に対する各種処理や、演算処理等を行なう機能を有する。制御部３４０は、マイクロプロセッサ（Microprocessor）、ＦＰＧＡ（Field Programmable Gate Array）、ＡＳＩＣ（Application Specific Integrated Circuit）、その他の演算機能を有する回路のいずれであってもよい。
【００５９】
制御部３４０は、機能ボタン群２３０のうち、短押操作または長押操作があったボタンに対応するボタン信号を受信する。また、制御部３４０は、入力ボタン群２４０のうち、短押操作または長押操作があったボタンに対応するボタン信号を受信する。また、制御部３４０は、サブボタン群１３０のうち、短押操作または長押操作があったボタンに対応するボタン信号を受信する。制御部３４０は、短押操作または長押操作があったサイドボタン１３２のアップボタン１３２Ａおよびダウンボタン１３２Ｂのいずれかに対応する信号を受信する。制御部３４０は、受信したボタン信号に応じた処理を行なう。
【００６０】
通信部３１０は、無線通信により電波の送受信処理を行なう。電波は、無線通信用電波と、放送信号電波とに分類される。無線通信用電波は、音声データ、文字データおよび画像データ等を含む電波である。放送信号電波は、さらに、テレビジョン信号と、ラジオ信号とに分類される。なお、通信部３１０は、電波が放送信号電波の場合は、受信処理のみ行なう。
【００６１】
通信部３１０は、無線通信用電波により基地局と通信を行なう。通信部３１０は、無線通信用電波を受信した場合、当該無線通信用電波を復調し、復調した無線通信用電波に基づくデータを、制御部３４０へ送信する。また、通信部３１０は、無線通信用電波を送信する場合、制御部３４０からデータ（たとえば、音声データ）を受信し、当該データを、所定のプロトコルに基づいて、無線通信用電波に変換する。そして、通信部３１０は、変換した無線通信用電波を、送信先となる基地局へ送信する。
【００６２】
通信部３１０は、基地局と通信を行なうことで、基地局の位置を示す情報（以下、基地局位置情報ともいう）も取得可能である。通信部３１０は、制御部３４０からの制御指示に応じて、取得した基地局位置情報を、制御部３４０へ送信する。制御部３４０は、受信した基地局位置情報に基づいて、端末装置１０００の位置を大まかに把握することができる。
【００６３】
また、通信部３１０は、ＧＰＳ（Global Positioning System）機能を有する。ＧＰＳ（Global Positioning System）機能とは、人口衛星と通信して、端末装置１０００の位置（緯度、経度、高度等に基づく位置）の情報（以下、ＧＰＳ位置情報ともいう）を取得する機能である。通信部３１０は、制御部３４０からの制御指示に応じて、ＧＰＳ位置情報を取得し、制御部３４０へ送信する。
【００６４】
また、通信部３１０は、無線データ通信機能を有する。無線データ通信機能は、ブルートゥース（Bluetooth）を使用して、無線でデータ通信を行なう機能を有する。通信部３１０は、制御部３４０からの制御指示に応じて、他の端末と無線でデータ通信を行なう。なお、無線データ通信は、ブルートゥースに限定されることなく、他の通信方式を使用してもよい。
【００６５】
また、無線データ通信機能は、赤外線を使用して、無線でデータ通信を行なう機能も有する。通信部３１０は、制御部３４０からの制御指示に応じて、赤外線を使用して、電気機器に対応したリモコン信号を、対応する電気機器へ送信する。これにより、端末装置１０００は、電気機器のリモコン制御も行なうことができる。なお、電気機器のリモコン信号のデータは、予め、記憶部３３０に記憶されている。
【００６６】
また、電気機器のリモコン信号は、通信部３１０を利用して、端末装置１０００に学習させることもできる。以下においては、端末装置１０００に学習させたリモコン信号を学習リモコン信号ともいう。端末装置１０００にリモコン信号を学習させるためには、まず、リモコン信号を、通信部３１０により受信させる。制御部３４０は、受信したリモコン信号のデータを、学習リモコン信号のデータとして、記憶部３３０に記憶させる。
【００６７】
また、通信部３１０は、テレビジョン信号である放送信号電波を受信した場合、放送信号電波を、チューナ３２０へ送信する。チューナ３２０は、テレビジョン信号である放送信号電波を受信した場合、制御部３４０により指示された、チャンネルの信号をデジタルデータ（以下、テレビジョンデータともいう）に変換して、制御部３４０へ送信する。変換されたテレビジョンデータには、画像データと、音声データとが含まれる。
【００６８】
制御部３４０は、端末装置１０００がテレビモードである場合、テレビジョンデータを受信し、メイン表示部１１０Ａに、テレビジョンデータに基づく画像を表示させる。同時に、制御部３４０は、スピーカ１５２から、テレビジョンデータに基づく音声を出力させる。
【００６９】
また、通信部３１０は、ラジオ信号である放送信号電波を受信した場合、放送信号電波を、チューナ３２０へ送信する。チューナ３２０は、ラジオの信号である放送信号電波を受信した場合、制御部３４０により指示された、周波数のラジオ局の音声信号をデジタルデータ（以下、ラジオデータともいう）に変換して、制御部３４０へ送信する。変換されたラジオデータには、音声データが含まれる。なお、テレビジョンデータおよびラジオデータは、コンテンツデータである。
【００７０】
制御部３４０は、端末装置１０００がラジオモードである場合、ラジオデータを受信し、スピーカ１５２から、ラジオデータに基づく音声を出力させる。
【００７１】
なお、端末装置１０００は、ラジオ局のオートスキャンおよびテレビチャンネルのオートスキャンを行なう機能を有する。ラジオ局のオートスキャンは、基地局位置情報またはＧＰＳ位置情報に基づく位置において、制御部３４０が、受信可能な複数のラジオ局を自動で設定する処理である。
【００７２】
具体的には、制御部３４０が、所定の周波数ずつ変化させた周波数の情報をチューナ３２０へ、所定の時間（たとえば、２秒）間隔で、順次、送信する。チューナ３４０は、周波数の情報を受信する毎に、周波数の情報に基づいたラジオデータを制御部３４０へ送信する。制御部３４０は、順次受信するラジオデータに基づく音声のノイズのレベルが所定レベル以下であれば、対応するラジオデータの周波数を記憶部３３０に記憶させる。以上の処理が繰り返されることにより、複数のラジオ局の周波数の情報が自動で記憶（登録）される。
【００７３】
また、テレビチャンネルのオートスキャンは、基地局位置情報またはＧＰＳ位置情報に基づく位置において、制御部３４０が、受信可能な複数のテレビのチャンネルを自動で設定する処理である。複数のテレビのチャンネルを自動で設定する処理は、前述のラジオ局を自動で登録する処理と同様なので詳細な説明は繰り返さない。
【００７４】
一時記憶部３３２は、データを一時的に記憶する機能を有する。一時記憶部３３２は、画像処理部１００および制御部１２０によってデータアクセスされ、ワークメモリとして動作する。一時記憶部３３２は、ＲＡＭ（Random Access Memory）、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、ＲＤＲＡＭ（Rambus Dynamic Random Access Memory）、Ｄｉｒｅｃｔ−ＲＤＲＡＭ（Direct Rambus Dynamic Random Access Memory）、その他、データを揮発的に記憶保持可能な構成を有する回路のいずれであってもよい。
【００７５】
記録媒体７０には、前述したプログラム７２、コンテンツデータ等が記録されている。コンテンツデータは、たとえば、音楽データ、動画像データ等である。記録媒体７０が、前述の記録媒体挿入部１８０から端末装置１０００に挿入（装着）されると、記録媒体アクセス部３３４は、記録媒体７０にデータアクセス可能となる。
【００７６】
記録媒体アクセス部３３４は、プログラム７２が記録された記録媒体７０から、制御部３４０の制御指示に応じて、プログラム７２を読出す機能を有する。記録媒体７０に記憶されているプログラム７２は、制御部３４０のインストール処理により、記録媒体アクセス部３３４で読み出され、記憶部３３０に記憶される。
【００７７】
このインストール処理用プログラムは、予め、記憶部３３０に格納されており、インストール処理は、制御部３４０が、インストール処理用プログラムに基づいて行なう。
【００７８】
なお、記憶部３３０には、プログラム７２が記憶されていなくてもよい。この場合、制御部３４０は、記録媒体アクセス部３３４を介して、記録媒体７０に記憶されたプログラム７２を読み出して、プログラム７２に基づいた所定の処理を行なう。
【００７９】
また、通信部３１０を利用して、基地局またはインターネットなどの外部のネットワークから、プログラムのダウンロード処理を行ない、記憶部３３０に格納することもできる。この場合、当該ダウンロードしたプログラムは、プログラム７２である。
【００８０】
制御部３４０は、基地局またはインターネットなどの外部のネットワークからダウンロードしたプログラム（プログラム７２）に従って、所定の処理を行なう。このダウンロード用プログラムは、予め、記憶部３３０に格納されており、ダウンロード処理は、制御部３４０が、ダウンロード用プログラムに基づいて行なう。
【００８１】
記録媒体７０は、端末装置１０００から着脱可能な媒体である。すなわち、記録媒体７０に記録されているプログラム７２は、媒体等に記録されてプログラム製品として流通される。また、記録媒体７０もプログラム製品として流通される。
【００８２】
記録媒体７０は、ＣＦ(Compact Flash) カード、ＳＭ（Smart Media（登録商標））、ＭＭＣ（Multi Media Card）、ＳＤ（Secure Digital）メモリーカード、メモリースティック（登録商標）、ｘＤピクチャーカードおよびＵＳＢメモリ、その他不揮発性メモリのいずれであってもよい。
【００８３】
このように、端末装置１０００から着脱可能な記録媒体を使用することにより、ユーザが設定したデータ、プログラム、その他各種データを、他の端末装置に移送することができる。
【００８４】
音声処理部３５０は、デジタルデータである音声データ（以下、デジタル音声データともいう）をアナログ信号に変換する処理および音声データを含むアナログ信号（以下、アナログ音声信号ともいう）をデジタル音声データに変換する処理等を行なう。
【００８５】
制御部３４０が、デジタル音声データを音声処理部３５０へ送信すると、音声処理部３５０は受信したデジタル音声データをアナログ音声信号に変換する。そして、音声処理部３５０は変換したアナログ音声信号を制御部３４０により指示されたスピーカから出力させる。
【００８６】
また、ユーザがマイク２６０に対して音声を発すると、当該音声に応じたアナログ音声信号が、音声処理部３５０へ送信される。音声処理部３５０は、マイク２６０から、アナログ音声信号を受信すると、受信したアナログ音声信号をデジタル音声データに変換して、制御部３４０へ送信する。
【００８７】
また、制御部３４０は、ユーザがマイク２６０に対して発した言葉からなる音声をボイスデータとして、記憶部３３０に登録する機能を有する。そして、ユーザが、記憶部３３０に登録されたボイスデータに基づく音声と同等な言葉からなる音声を、マイク２６０を使用して入力させることで、制御部３４０は、ボイスデータに対応した処理を行なう。記憶部３３０に登録されているボイスデータは、たとえば、「メール」という言葉からなる音声であるとする。この場合、制御部３４０は、「メール」という言葉からなる音声が、マイク２６０から入力されると、たとえば、電子メールのプログラムを起動させる。
【００８８】
メイン表示部１１０Ａは、制御部３４０から送信された画像データを受信すると、受信した画像データに基づく画像を表示する。サブ表示部１１０Ｂは、制御部３４０から送信された画像データを受信すると、受信した画像データに基づく画像を表示する。
【００８９】
ＬＥＤ１４０は、制御部３４０からの制御指示に基づいて、光を発する。
撮像部２７０は、制御部３４０からの制御指示に基づいて、前述の撮像処理を行い、撮像画像データを制御部３４０へ送信する。制御部３４０は、撮像画像データを受信すると、撮像画像データを、記憶部３３０または記録媒体７０に記憶させる。
【００９０】
振動部３７０は、制御部３４０からの制御指示に基づいて、端末装置１０００を振動させる機能を有する。振動部３７０は、たとえば、電話の着信、電子メールの受信時に、制御部３４０からの制御指示に基づいて、端末装置１０００を振動させる。
【００９１】
次に、制御部３４０が、前述のアプリケーションプログラムに基づいて行なう処理（以下、アプリケーション処理ともいう）の具体的な処理内容について説明する。
【００９２】
アプリケーション処理に基づく画像は、端末装置１０００が図１の状態の場合、メイン表示部１１０Ａに表示される。アプリケーション処理に基づく画像は、端末装置１０００が図２の状態の場合、サブ表示部１１０Ｂに表示される。
【００９３】
アプリケーションプログラムが、音楽再生プログラムの場合、アプリケーション処理では、たとえば、ユーザのボタン操作に応じて、音楽データの再生処理および停止処理、音楽データのリスト表示処理等が行なわれる。
【００９４】
アプリケーションプログラムが、ラジオプログラムの場合、アプリケーション処理では、たとえば、ユーザのボタン操作に応じて、選局されたラジオ局の音声がスピーカ１５２から出力される。
【００９５】
アプリケーションプログラムが、テレビプログラムの場合、アプリケーション処理では、たとえば、ユーザのボタン操作に応じて、選局されたチャンネルの画像が、メイン表示部１１０Ａに表示される。また、同時に、選局されたチャンネルの音声がスピーカ１５２から出力される。
【００９６】
アプリケーションプログラムが、電子メールプログラムの場合、アプリケーション処理では、たとえば、ユーザのボタン操作に応じて、電子メールの受信処理、電子メールの作成処理、電子メールの送信処理、電子メールの閲覧処理等が行なわれる。
【００９７】
アプリケーションプログラムが、ゲームプログラムの場合、アプリケーション処理では、たとえば、ユーザのボタン操作に応じて、ゲームが実行される。
【００９８】
アプリケーションプログラムが、ＷＥＢブラウザプログラムの場合、アプリケーション処理では、たとえば、ユーザのボタン操作に応じて、ＷＥＢサイトにアクセスし、ＷＥＢページがメイン表示部１１０Ａに表示される。
【００９９】
アプリケーションプログラムが、動画再生プログラムの場合、アプリケーション処理では、たとえば、ユーザのボタン操作に応じて、動画像（たとえば、ＭＰＥＧ２形式の動画像）ファイルに基づく動画が、表示部１１０Ａに表示される。
【０１００】
アプリケーションプログラムが、リモコンプログラムの場合、アプリケーション処理では、たとえば、ユーザのボタン操作に応じて、予め設定されたリモコン信号が、通信部３１０から出力される。電気機器は、リモコン信号を受信すると、受信したリモコン信号に応じた処理を行なう。
【０１０１】
次に、端末装置１０００がリモコンモードのときに、実行されるプログラムおよび使用されるデータのリスト（以下、リモコンモード時使用リストともいう）について説明する。リモコンモード時使用リストは、記憶部３３０に予め記憶されている。なお、リモコンモード時使用リストは、ユーザの機能ボタン群２３０および入力ボタン群２４０の操作により、自由に編集可能なリストである。
【０１０２】
図５は、一例としてのリモコンモード時使用リストＴ１００を示す図である。図５を参照して、リモコンモード時使用リストＴ１００は、端末装置１０００がリモコンモードのときに、実行されるプログラムと、使用されるデータとの対応関係を示したリストである。
【０１０３】
登録番号“０”〜“９”は、入力ボタン群２４０のうち、“０”〜“９”の数字をそれぞれ入力するためのボタンに対応した番号である。たとえば、登録番号“２”は、入力ボタン群２４０のうち、数字の“２”を入力するためのボタンに対応した番号である。
【０１０４】
なお、リモコンモード時使用リストＴ１００に記載のリモコン信号Ａ，Ｂ，Ｃ，Ｄ，Ｅのデータは、予め、記憶部３３０に記憶されている。なお、リモコン信号Ａ，Ｂ，Ｃ，Ｄ，Ｅのデータは、前述の学習リモコン信号のデータであってもよい。
【０１０５】
なお、リモコンモード時使用リストＴ１００には、前述のラジオ局のオートスキャンの実行により、受信可能な周波数（ラジオ局）の情報が自動で設定されてもよい。また、リモコンモード時使用リストＴ１００には、前述のテレビチャンネルのオートスキャンの実行により、受信可能なテレビチャンネルの情報が自動で設定されてもよい。
【０１０６】
なお、記憶部３３０に記憶されているリモコンモード時使用リストは、１つではなく、複数であってもよい。この場合、ユーザは、用途に応じて、機能ボタン群２３０および入力ボタン群２４０の操作により、複数のリモコンモード時使用リストを編集して、使い分けてもよい。
【０１０７】
図６は、端末装置１０００と、リモコン信号で操作可能な電気機器２０００とを示した図である。電気機器２０００は、インターネットにアクセス可能な機能を有するネットワーク家電機器である。
【０１０８】
図６を参照して、電気機器２０００は、通信部５１０を備える。通信部５１０は、ネットワーク７０と無線または有線でデータ通信する機能を有する。ネットワーク７０は、インターネット等の外部のネットワークである。また、通信部５１０は、リモコン信号を受信する機能を有する。電気機器２０００は、リモコン信号を受信すると、受信したリモコン信号に対応する処理を行なう。
【０１０９】
通信部３１０は、電気機器２０００へリモコン信号を送信する機能を有する。また、通信部３１０は、ネットワーク７０と無線または有線でデータ通信する機能を有する。
【０１１０】
次に、端末装置１０００がリモコンモードのときに行なわれる処理（以下、リモコンモード時処理ともいう）について説明する。
【０１１１】
図７は、リモコンモード時処理のフローチャートである。図７を参照して、ステップＳ１１０では、制御部３４０が、ボタン操作があるか否かを判定する。ここで、ボタン操作は、入力ボタン群２４０のうち、“０”〜“９”のいずれかの数字を入力するためのボタンの短押操作である。ステップＳ１１０において、ＹＥＳならば、ステップＳ１１２に進む。一方、ステップＳ１１０において、ＮＯならば、再度、ステップＳ１１０の処理が行なわれる。
【０１１２】
ステップＳ１１２では、ボタン操作対応処理が行なわれる。ボタン操作対応処理では、制御部３４０が、リモコンモード時使用リストＴ１００に基づいた処理を行なう。ボタン操作対応処理では、入力ボタン群２４０のうち、短押操作のあったボタンによって、制御部３４０が行なう処理が異なる。なお、ボタン操作対応処理が終了すると、このリモコンモード時処理は終了する。
【０１１３】
ボタン操作対応処理では、ボタン操作が入力ボタン群２４０のうち、“０”の数字を入力するためのボタンの短押操作である場合、制御部３４０は、リモコンモード時使用リストＴ１００の登録番号“０”に対応した処理を実行する。具体的には、制御部３４０が、リモコンプログラムに基づくアプリケーション処理Ａを実行する。なお、この場合、電気機器２０００は、一例として、インターネットにアクセス可能なテレビジョン受信機であるとする。電気機器２０００（テレビジョン受信機）は、画像を表示するための表示部（図示せず）および音声を出力するためのスピーカ（図示せず）を備えるものとする。
【０１１４】
アプリケーション処理Ａは、リモコンモード時処理とは、独立して行なわれる処理である。以下に説明するアプリケーション処理も、アプリケーション処理Ａと同様に、リモコンモード時処理とは、独立して行なわれる処理である。
【０１１５】
アプリケーション処理Ａでは、制御部３４０が、通信部３１０を利用して、リモコン信号Ａを、電気機器２０００（テレビジョン受信機）へ送信する。リモコン信号Ａは、たとえば、テレビ放送のチャンネル２を特定するためのリモコン信号であるとする。電気機器２０００（テレビジョン受信機）は、リモコン信号Ａを受信すると、テレビ放送のチャンネル２の動画像（コンテンツ）を表示部に表示させる。また、同時に、電気機器２０００（テレビジョン受信機）は、テレビ放送のチャンネル２の音声（コンテンツ）を、スピーカから出力させる。
【０１１６】
なお、ボタン操作対応処理において、ボタン操作が入力ボタン群２４０のうち、“１”の数字を入力するためのボタンの短押操作である場合も、アプリケーション処理Ａと同様な処理が行なわれるので詳細な説明は繰り返さない。
【０１１７】
ボタン操作対応処理では、ボタン操作が入力ボタン群２４０のうち、“２”の数字を入力するためのボタンの短押操作である場合、制御部３４０は、リモコンモード時使用リストＴ１００の登録番号“２”に対応した処理を実行する。具体的には、制御部３４０が、テレビプログラムに基づくアプリケーション処理Ｂを実行する。リモコンモード時使用リストＴ１００の登録番号“２”に対応するチャンネル情報は、たとえば、テレビ放送のチャンネル６を特定するための情報であるとする。
【０１１８】
アプリケーション処理Ｂでは、制御部３４０が、テレビ放送のチャンネル６の動画像（コンテンツ）を、メイン表示部１１０Ａに表示させる。また、同時に、制御部３４０は、テレビ放送のチャンネル６の音声（コンテンツ）を、スピーカ１５２から出力させる。
【０１１９】
なお、ボタン操作対応処理において、ボタン操作が入力ボタン群２４０のうち、“３”の数字を入力するためのボタンの短押操作である場合も、アプリケーション処理Ｂと同様な処理が行なわれるので詳細な説明は繰り返さない。
【０１２０】
ボタン操作対応処理では、ボタン操作が入力ボタン群２４０のうち、“４”の数字を入力するためのボタンの短押操作である場合、制御部３４０は、リモコンモード時使用リストＴ１００の登録番号“４”に対応した処理を実行する。具体的には、制御部３４０が、リモコンプログラムに基づくアプリケーション処理Ｃを実行する。なお、この場合、電気機器２０００は、一例として、インターネットにアクセス可能なラジオ受信機であるとする。電気機器２０００（ラジオ受信機）は、音声を出力するためのスピーカ（図示せず）を備えるものとする。
【０１２１】
アプリケーション処理Ｃでは、制御部３４０が、通信部３１０を利用して、リモコン信号Ｃを、電気機器２０００（ラジオ受信機）へ送信する。リモコン信号Ｃは、たとえば、電気機器２０００に予め登録されたラジオ局（たとえば、周波数７１．０Ｍｈｚのラジオ局）を特定するためのリモコン信号であるとする。電気機器２０００（ラジオ受信機）は、リモコン信号Ｃを受信すると、周波数７１．０Ｍｈｚのラジオ局の音声（コンテンツ）を、スピーカから出力させる。
【０１２２】
ボタン操作対応処理では、ボタン操作が入力ボタン群２４０のうち、“５”の数字を入力するためのボタンの短押操作である場合、制御部３４０は、リモコンモード時使用リストＴ１００の登録番号“５”に対応した処理を実行する。具体的には、制御部３４０が、ラジオプログラムに基づくアプリケーション処理Ｄを実行する。リモコンモード時使用リストＴ１００の登録番号“５”に対応する周波数情報は、たとえば、７２．０Ｍｈｚの周波数の情報であるとする。
【０１２３】
アプリケーション処理Ｄでは、制御部３４０が、周波数７２．０Ｍｈｚのラジオ局の音声（コンテンツ）を、スピーカ１５２から出力させる。
【０１２４】
ボタン操作対応処理では、ボタン操作が入力ボタン群２４０のうち、“６”の数字を入力するためのボタンの短押操作である場合、制御部３４０は、リモコンモード時使用リストＴ１００の登録番号“６”に対応した処理を実行する。具体的には、制御部３４０が、リモコンプログラムに基づくアプリケーション処理Ｅを実行する。なお、この場合、電気機器２０００は、一例として、インターネットにアクセス可能なテレビジョン受信機であるとする。電気機器２０００（テレビジョン受信機）は、画像を表示するための表示部（図示せず）および音声を出力するためのスピーカ（図示せず）を備えるものとする。
【０１２５】
アプリケーション処理Ｅでは、制御部３４０が、通信部３１０を利用して、リモコン信号Ｄを、電気機器２０００（テレビジョン受信機）へ送信する。リモコン信号Ｄは、たとえば、インターネットテレビ放送を配信しているＷＥＢアドレス（以下、インターネットテレビＷＥＢアドレスともいう）の情報を含む信号であるとする。電気機器２０００（テレビジョン受信機）は、リモコン信号Ｄを受信すると、ネットワーク７０内のインターネットテレビＷＥＢアドレスにアクセスし、インターネットテレビ放送のストリーミングデータ（コンテンツデータ）を受信し、対応する動画像（コンテンツ）を表示部に表示させる。また、同時に、電気機器２０００（テレビジョン受信機）は、インターネットテレビ放送の音声（コンテンツ）を、スピーカから出力させる。
【０１２６】
なお、電気機器２０００（テレビジョン受信機）が受信するデータは、インターネットテレビ放送のストリーミングデータに限定されることなく、動画像のストリーミングデータであれば、どのようなストリーミングデータ（たとえば、映画等のストリーミングデータ）であってもよい。
【０１２７】
ボタン操作対応処理では、ボタン操作が入力ボタン群２４０のうち、“７”の数字を入力するためのボタンの短押操作である場合、制御部３４０は、リモコンモード時使用リストＴ１００の登録番号“７”に対応した処理を実行する。具体的には、制御部３４０が、リモコンプログラムに基づくアプリケーション処理Ｆを実行する。なお、この場合、電気機器２０００は、一例として、インターネットにアクセス可能なラジオ受信機であるとする。電気機器２０００（ラジオ受信機）は、音声を出力するためのスピーカ（図示せず）を備えるものとする。
【０１２８】
アプリケーション処理Ｆでは、制御部３４０が、通信部３１０を利用して、リモコン信号Ｅを、電気機器２０００（ラジオ受信機）へ送信する。リモコン信号Ｅは、たとえば、インターネットラジオ放送を配信しているＷＥＢアドレス（以下、インターネットラジオＷＥＢアドレスともいう）の情報を含む信号であるとする。電気機器２０００（ラジオ受信機）は、リモコン信号Ｅを受信すると、ネットワーク７０内のインターネットラジオＷＥＢアドレスにアクセスし、インターネットラジオ放送のストリーミングデータ（コンテンツデータ）を受信し、インターネットラジオ放送の音声（コンテンツ）を、スピーカから出力させる。
【０１２９】
なお、電気機器２０００（ラジオ受信機）が受信するデータは、インターネットラジオ放送のストリーミングデータに限定されることなく、音声のストリーミングデータであれば、どのようなストリーミングデータ（たとえば、曲等のストリーミングデータ）であってもよい。
【０１３０】
ボタン操作対応処理では、ボタン操作が入力ボタン群２４０のうち、“８”の数字を入力するためのボタンの短押操作である場合、制御部３４０は、リモコンモード時使用リストＴ１００の登録番号“８”に対応した処理を実行する。具体的には、制御部３４０が、ＷＥＢブラウザプログラムに基づくアプリケーション処理Ｇを実行する。リモコンモード時使用リストＴ１００の登録番号“８”に対応するＷＥＢページ情報は、たとえば、インターネットテレビ放送を配信しているインターネットテレビＷＥＢアドレスの情報であるとする。
【０１３１】
アプリケーション処理Ｇでは、制御部３４０が、通信部３１０を利用して、ネットワーク７０内のインターネットテレビＷＥＢアドレスにアクセスし、インターネットテレビ放送のストリーミングデータ（コンテンツデータ）を受信する。そして、制御部３４０は、インターネットテレビ放送の動画像（コンテンツ）を、メイン表示部１１０Ａに表示させる。また、同時に、制御部３４０は、インターネットテレビ放送の音声（コンテンツ）を、スピーカ１５２から出力させる。
【０１３２】
なお、端末装置１０００が受信するデータは、インターネットテレビ放送のストリーミングデータに限定されることなく、動画像のストリーミングデータであれば、どのようなストリーミングデータ（たとえば、映画等のストリーミングデータ）であってもよい。
【０１３３】
ボタン操作対応処理では、ボタン操作が入力ボタン群２４０のうち、“９”の数字を入力するためのボタンの短押操作である場合、制御部３４０は、リモコンモード時使用リストＴ１００の登録番号“９”に対応した処理を実行する。具体的には、制御部３４０が、ＷＥＢブラウザプログラムに基づくアプリケーション処理Ｈを実行する。リモコンモード時使用リストＴ１００の登録番号“９”に対応するＷＥＢページ情報は、たとえば、インターネットラジオ放送を配信しているインターネットラジオＷＥＢアドレスの情報であるとする。
【０１３４】
アプリケーション処理Ｈでは、制御部３４０が、通信部３１０を利用して、ネットワーク７０内のインターネットラジオＷＥＢアドレスにアクセスし、インターネットラジオ放送のストリーミングデータ（コンテンツデータ）を受信する。そして、制御部３４０は、インターネットテレビ放送の音声（コンテンツ）を、スピーカ１５２から出力させる。
【０１３５】
なお、端末装置１０００が受信するデータは、インターネットラジオ放送のストリーミングデータに限定されることなく、音声のストリーミングデータであれば、どのようなストリーミングデータ（たとえば、曲等のストリーミングデータ）であってもよい。
【０１３６】
以上説明したように、本実施の形態における端末装置１０００では、簡単な操作で、コンテンツの形態を意識することなく、即座に所望のコンテンツを楽しむことができるという効果を奏する。
【０１３７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１３８】
【図１】開いた状態の端末装置を正面から示した図である。
【図２】閉じた状態の端末装置の斜視図である。
【図３】閉じた状態の端末装置の背面図である。
【図４】端末装置の内部構成を示したブロック図である。
【図５】一例としてのリモコンモード時使用リストを示す図である。
【図６】端末装置と、リモコン信号で操作可能な電気機器とを示した図である。
【図７】リモコンモード時処理のフローチャートである。
【符号の説明】
【０１３９】
１１０Ａ  メイン表示部、１１０Ｂ  サブ表示部、１３０Ｂ  ボタン、２６０  マイク、３３０  記憶部、３４０  制御部、１０００  端末装置。
【図１】
2007088700.tif 000003
【図２】
2007088700.tif 000004
【図３】
2007088700.tif 000005
【図４】
2007088700.tif 000006
【図５】
2007088700.tif 000007
【図６】
2007088700.tif 000008
【図７】
2007088700.tif 000009